(57)【要約】【課題】オーバーヘッドを増加させることなく、サブフレーム間拡散符号を通知すること。【解決手段】基地局は、端末に下り制御情報を送信する送信部と、端末から下り制御情報に基づいて送信された上りリンク信号と、巡回シフト及び直交系列の複数の組み合わせのうちの一つの組み合わせを用いて生成され、上りリンク信号を複数のサブフレームに渡ってレピティション送信することが可能なカバレッジエンハンスメントモードが端末に設定されている場合、複数の符号系列のうちの一つの符号系列が乗算され、端末から送信された、上りリンク信号に対する復調用参照信号と、を受信する受信部と、を有する。カバレッジエンハンスメントモードが設定されている場合、復調用参照信号の生成に用いられる一つの組み合わせは、複数の組み合わせのうちの特定の組み合わせである。【選択図】図５
2020058046.tif 000002
【特許請求の範囲】
【請求項１】
端末に下り制御情報を送信する送信部と、
前記端末から前記下り制御情報に基づいて送信された上りリンク信号と、巡回シフト及び直交系列の複数の組み合わせのうちの一つの組み合わせを用いて生成され、前記上りリンク信号を複数のサブフレームに渡ってレピティション送信することが可能なカバレッジエンハンスメントモードが前記端末に設定されている場合、複数の符号系列のうちの一つの符号系列が乗算され、前記端末から送信された、前記上りリンク信号に対する復調用参照信号と、を受信する受信部と、
を有し、
前記カバレッジエンハンスメントモードが設定されている場合、前記復調用参照信号の生成に用いられる前記一つの組み合わせは、前記複数の組み合わせのうちの特定の組み合わせである、
通信装置。
【請求項２】
前記カバレッジエンハンスメントモードが設定されている場合、前記復調用参照信号の生成に用いられる前記一つの組み合わせは、固定され、又は、変更されない、
請求項１に記載の通信装置。
【請求項３】
前記カバレッジエンハンスメントモードが設定されている場合、前記復調用参照信号の生成に用いられる前記一つの組み合わせは、前記通信装置及び前記端末の間で予め規定されている、
請求項１又は２に記載の通信装置。
【請求項４】
前記カバレッジエンハンスメントモードが設定されている場合、前記受信部は、狭帯域で送信された、前記上りリンク信号及び前記復調用参照信号を受信する、
請求項１から３のいずれかに記載の通信装置。
【請求項５】
前記受信部は、前記狭帯域内で周波数ホッピングさせて送信された、前記上りリンク信号及び前記復調用参照信号を受信する、
請求項４に記載の通信装置。
【請求項６】
前記一つの符号系列は、前記下り制御情報において、前記復調用参照信号に用いる前記組み合わせを通知するためのフィールドを用いて、特定される、
請求項１に記載の通信装置。
【請求項７】
前記フィールドを構成するビットで通知できる複数の値に、前記複数の符号系列がそれぞれ対応付けられる、
請求項６に記載の通信装置。
【請求項８】
前記フィールドを構成するビットで通知できる複数の値には、前記符号系列と、前記巡回シフトと、前記直交系列との複数の組み合わせがそれぞれ対応付けられる、
請求項６に記載の通信装置。
【請求項９】
端末に下り制御情報を送信する工程と、
前記端末から前記下り制御情報に基づいて送信された上りリンク信号と、巡回シフト及び直交系列の複数の組み合わせのうちの一つの組み合わせを用いて生成され、前記上りリンク信号を複数のサブフレームに渡ってレピティション送信することが可能なカバレッジエンハンスメントモードが前記端末に設定されている場合、複数の符号系列のうちの一つの符号系列が乗算され、前記端末から送信された、前記上りリンク信号に対する復調用参照信号と、を受信する工程と、
を有し、
前記カバレッジエンハンスメントモードが設定されている場合、前記復調用参照信号の生成に用いられる前記一つの組み合わせは、前記複数の組み合わせのうちの特定の組み合わせである、
通信方法。
【請求項１０】
端末に下り制御情報を送信する処理と、
前記端末から前記下り制御情報に基づいて送信された上りリンク信号と、巡回シフト及び直交系列の複数の組み合わせのうちの一つの組み合わせを用いて生成され、前記上りリンク信号を複数のサブフレームに渡ってレピティション送信することが可能なカバレッジエンハンスメントモードが前記端末に設定されている場合、複数の符号系列のうちの一つの符号系列が乗算され、前記端末から送信された、前記上りリンク信号に対する復調用参照信号と、を受信する処理と、
を制御し、
前記カバレッジエンハンスメントモードが設定されている場合、前記復調用参照信号の生成に用いられる前記一つの組み合わせは、前記複数の組み合わせのうちの特定の組み合わせである、
集積回路。
【発明の詳細な説明】
【技術分野】
【０００１】
本開示は、通信装置及び通信方法に関し、特に、基地局、端末、送信方法及び信号拡散方法に関する。
【背景技術】
【０００２】
3GPP LTE（3rd Generation Partnership Project Long Term Evolution）では、基地局（eNBと呼ぶこともある）から端末（UE（User Equipment）と呼ぶこともある）への下りリンクの通信方式としてOFDMA（Orthogonal Frequency Division Multiple Access）が採用され、端末から基地局への上りリンクの通信方式としてSC-FDMA（Single Carrier-Frequency Division Multiple Access）が採用されている（例えば、非特許文献１−３を参照）。
【０００３】
LTEでは、基地局は、システム帯域内のリソースブロック（RB:Resource Block）をサブフレームと呼ばれる時間単位毎に端末に対して割り当てることにより通信を行う。図１は、上りリンク共用チャネル（PUSCH：Physical Uplink Shared Channel）におけるサブフレーム構成例を示す。図１に示すように、１サブフレームは２つの時間スロットから構成される。各スロットには、複数のSC-FDMAデータシンボルと復調用参照信号（DMRS：Demodulation Reference Signal）とが時間多重される。基地局は、PUSCHを受信すると、DMRSを用いてチャネル推定を行う。その後、基地局は、チャネル推定結果を用いて、SC-FDMAデータシンボルの復調・復号を行う。
【０００４】
LTEの発展形であるLTE-Advanced（LTE-Aと呼ぶこともある）では、上りリンクの周波数利用効率を向上させるために、PUSCHに対してSU-MIMO（Single User-Multiple Input Multiple Output）が導入されている。SU-MIMOでは、端末が複数のアンテナを用いて１つのPUSCHに複数の上りリンクデータを空間多重して送信することができる。基地局は、端末から同時に送信された複数の信号を複数のアンテナを用いて受信し、分離する。
【０００５】
また、LTE-Aでは、MU-MIMO（Multi User-MIMO）も導入されている。MU-MIMOは、複数の端末が同一時間、同一周波数においてデータを送信し、基地局が同時に送信された複数の端末からの信号を分離することにより周波数利用効率を向上させる技術である。
【０００６】
LTE-Aでは、SU-MIMO及びMU-MIMOを適用する際に、同一の時間・周波数リソースで送信されるDMRS間の干渉を低減するために、DMRSに端末間で異なる巡回シフトを施したり、PUSCH内の2つのDMRSに端末間で異なる直交符号（OCC：Orthogonal Cover Code）を乗算したりすることで、複数のDMRSを直交多重させる。
【０００７】
また、下りリンクでは、基地局は、上りリンクデータのリソース割当を通知するための下り制御情報（L1/L2制御情報）を端末へ送信する。この下り制御情報は、例えば、PDCCH（Physical Downlink Control Channel)等の下りリンク制御チャネルを用いて基地局から端末へ送信される。PDCCHにおいて基地局から送信される下り制御情報は、DCI（Downlink Control Information）と呼ばれる。
【０００８】
基地局は、１サブフレームに複数の端末に対するリソースを割り当てる場合、複数のDCIを同時に送信する。このとき、基地局は、各DCIの送信先の端末を識別するために、送信先の端末IDでマスキング（または、スクランブリング）したCRC（Cyclic Redundancy Check）ビットをDCIに含めて送信する。そして、端末は、自端末宛の可能性があるDCIのCRCビットを、自端末の端末IDでデマスキング（または、デスクランブリング）することによりPDCCHをブラインド復号して、自端末宛のDCIを検出する。
【０００９】
上りリンク用のDCIには、SU-MIMOを用いない１レイヤ送信を指示するためのDCI format 0、及び、SU-MIMOを用いる２レイヤ以上の送信を指示可能なDCI format 4が含まれる。DCIには、基地局が端末に対して割り当てたリソースの情報（リソース割当情報）、及び、MCS（Modulation and channel Coding Scheme）等が含まれる。端末は、検出したDCIに基づいて、リソース及びMCS等を制御してPUSCHを送信する。
【００１０】
また、上りリンク用のDCIには、PUSCHで送信されるDMRSに用いる巡回シフトに関する情報及びOCCに関する情報も含まれている（例えば、非特許文献２を参照）。
【００１１】
ところで、今後の情報社会を支える仕組みとして、近年、ユーザの判断を介することなく機器間の自律的な通信によりサービスを実現するM2M（Machine-to-Machine）通信が期待されている。M2Mシステムの具体的な応用事例としてスマートグリッドがある。スマートグリッドは、電気又はガスなどのライフラインを効率的に供給するインフラシステムである。例えば、スマートグリッドは、各家庭又はビルに配備されるスマートメータと中央サーバとの間でM2M通信を実施して、自律的かつ効果的に資源の需要バランスを調整する。M2M通信システムの他の応用事例として、物品管理又は遠隔医療などのためのモニタリングシステム、自動販売機の在庫又は課金の遠隔管理などが挙げられる。
【００１２】
M2M通信システムにおいては、特に広範な通信エリアを有するセルラシステムの利用が着目されている。3GPPでは、LTE及びLTE-Advancedの規格化においてセルラネットワークを前提としたM2Mの検討が、マシンタイプ通信（MTC: Machine Type Communication）という名称で進められている。特に、スマートメータなどのMTC通信機器が、既存の通信エリアにおいて利用できない、ビルの地下などの場所に配置されている場合に対応するため、通信エリアをさらに拡大する「カバレッジエンハンスメント（Coverage Enhancement）」が検討されている（例えば、非特許文献４を参照）。
【００１３】
特に、通信エリアをさらに拡大するために、MTCカバレッジエンハンスメントでは、同一信号を複数回繰り返して送信するレピティションが検討されている。具体的には、PUSCHにおいてレピティション送信を行うことが検討されている。PUSCHの受信側である基地局では、レピティション送信された信号を合成することにより、受信信号電力の改善を図ることができ、通信エリアを拡大できる。
【００１４】
レピティション送信では、同一データ信号を複数のサブフレーム（つまり、時間リソース）に渡って繰り返して送信する。そのため、レピティション送信では、オーバーヘッドが増加し、周波数利用効率が低下してしまう。そこで、MTCカバレッジエンハンスメントを行う端末（以下、MTCカバレッジエンハンスメントモードの端末、とも呼ぶ）がPUSCHにおいてレピティション送信を行う場合に、レピティション送信される複数のサブフレームに渡る信号に対して直交符号系列（以下、サブフレーム間拡散符号又はサブフレーム間拡散符号系列と呼ぶ）を乗算することにより、サブフレーム間で拡散（以下、サブフレーム間拡散と呼ぶ）を行うことが検討されている（例えば、非特許文献５を参照）。これにより、レピティション送信が行われる複数のサブフレームにおいて、複数の端末を直交多重することができ、PUSCHの周波数利用効率の低下を軽減できる。
【００１５】
PUSCHにおいてサブフレーム間拡散を適用する場合、基地局がサブフレーム間拡散符号を用いて拡散及び符号多重された信号を正常に検出するためには、基地局と端末との間において、使用されるサブフレーム間拡散符号を共有する必要がある。
【先行技術文献】
【非特許文献】
【００１６】
【非特許文献１】3GPP TS 36.211 V12.0.0, “Evolved Universal Terrestrial Radio Access (E-UTRA); Physical channels and modulation,” December 2014.
【非特許文献２】3GPP TS 36.212 V12.0.0, “Evolved Universal Terrestrial Radio Access (E-UTRA); Multiplexing and channel coding,” December 2014.
【非特許文献３】3GPP TS 36.213 V12.0.0, “Evolved Universal Terrestrial Radio Access (E-UTRA); Physical layer procedures,” December 2014.
【非特許文献４】RP-141660, Ericsson, Nokia Networks, “New WI proposal: Further LTE Physical Layer Enhancements for MTC”
【非特許文献５】R1-150311, Panasonic, “Multiple subframe code spreading for MTC UEs”
【発明の概要】
【００１７】
本開示の非限定的な実施例は、基地局と端末との間において、使用されるサブフレーム間拡散符号を共有できる通信装置及び通信方法を提供する。
【００１８】
本開示の一態様に係る通信装置は、互いに直交する複数の符号系列のうちの１つの符号系列であって、複数のサブフレームに渡ってレピティションされた復調用参照信号を含む上りリンク信号に乗算される前記１つの符号系列を選択する制御部と、レピティションされた前記上りリンク信号の送信が設定された端末に対して、前記復調用参照信号に用いる巡回シフト及び直交系列を通知するためのフィールドを用いて、選択された前記１つの符号系列を示す情報を送信する送信部と、を具備する。
【００１９】
本開示の一態様に係る通信装置は、復調用参照信号に用いる巡回シフト及び直交系列を通知するためのフィールドを用いて、互いに直交する複数の符号系列のうちの１つの符号系列を示す情報を受信する受信部と、複数のサブフレームに渡ってレピティションされた復調用参照信号を含む上りリンク信号に、前記情報によって示される前記１つの符号系列を乗算する拡散部と、を具備する。
【００２０】
本開示の一態様に係る通信方法は、互いに直交する複数の符号系列のうちの１つの符号系列であって、複数のサブフレームに渡ってレピティションされた復調用参照信号を含む上りリンク信号に乗算される前記１つの符号系列を選択し、レピティションされた前記上りリンク信号の送信が設定された端末に対して、前記復調用参照信号に用いる巡回シフト及び直交系列を通知するためのフィールドを用いて、選択された前記１つの符号系列を示す情報を送信する。
【００２１】
本開示の一態様に係る通信方法は、復調用参照信号に用いる巡回シフト及び直交系列を通知するためのフィールドを用いて、互いに直交する複数の符号系列のうちの１つの符号系列を示す情報を受信し、複数のサブフレームに渡ってレピティションされた復調用参照信号を含む上りリンク信号に、前記情報によって示される前記１つの符号系列を乗算する。
【００２２】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【００２３】
本開示の一態様によれば、基地局と端末との間において、使用されるサブフレーム間拡散符号を共有することができる。また、本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００２４】
【図１】図１は、PUSCHのサブフレーム構成の一例を示す。
【図２】図２は、サブフレーム間拡散の動作例を示す。
【図３】図３は、実施の形態１に係る基地局の要部構成を示す。
【図４】図４は、実施の形態１に係る端末の要部構成を示す。
【図５】図５は、実施の形態１に係る基地局の構成を示す。
【図６】図６は、実施の形態１に係る端末の構成を示す。
【図７Ａ】図７Ａは、LTE-AにおけるDMRSに用いる巡回シフト及びOCCを通知するための既存のDCIフィールドを示す。
【図７Ｂ】図７Ｂは、実施の形態１に係るサブフレーム間拡散符号を通知するためのMSCIの一例を示す。
【図８】図８は、実施の形態２に係るサブフレーム間拡散符号と、DMRSに用いる巡回シフト及びOCCとを通知するためのMSCIの一例を示す。
【図９】図９は、実施の形態２に係るMSCIによって通知される、サブフレーム間拡散符号、巡回シフト及びOCCの組み合わせを示す。
【図１０Ａ】図１０Ａは、実施の形態２のバリエーションに係るサブフレーム間拡散符号と、DMRSに用いる巡回シフト及びOCCとを通知するためのMSCIの一例を示す。
【図１０Ｂ】図１０Ｂは、実施の形態２のバリエーションに係るMSCIによって通知される、サブフレーム間拡散符号、巡回シフト及びOCCの組み合わせを示す。
【図１１Ａ】図１１Ａは、実施の形態３に係るサブフレーム間拡散符号と、DMRSに用いる巡回シフト及びOCCとを通知するためのMSCIの一例を示す。
【図１１Ｂ】図１１Ｂは、実施の形態３に係るMSCIによって通知される、サブフレーム間拡散符号、巡回シフト及びOCCの組み合わせを示す。
【図１２Ａ】図１２Ａは、実施の形態４に係るサブフレーム間拡散符号と、DMRSに用いる巡回シフト及びOCCとを通知するためのMSCIの一例を示す。
【図１２Ｂ】図１２Ｂは、実施の形態４に係るMSCIによって通知される、サブフレーム間拡散符号、巡回シフト及びOCCの組み合わせを示す。
【発明を実施するための形態】
【００２５】
（本開示の基礎となった知見）
基地局と端末との間において使用されるサブフレーム間拡散符号系列を共有する場合、上りリンクのスケジューリングの柔軟性を確保するために、基地局が、その判断に基づいて、サブフレーム間拡散符号を端末に割り当てることが考えられる。
【００２６】
しかしながら、単純に従来の上りリンク用のDCIを用いて、新たにサブフレーム間拡散符号を端末に通知するためには、サブフレーム間拡散符号を通知するためのフィールドをDCIフォーマットに新たに追加する必要がある。例えば、サブフレーム間拡散符号の系列長がNSFの場合、ceil(log2NSF)ビットのフィールドが必要となり、オーバーヘッドが増加する。なお、関数「ceil(X)」は、X以上の最小の整数を返す天井関数を表す。
【００２７】
そこで、本開示の一態様は、上りリンクのスケジューリングの柔軟性を確保するとともに、オーバーヘッドを増加させることなく、基地局と端末との間において、使用されるサブフレーム間拡散符号を共有できる通信装置及び通信方法を提供する。
【００２８】
以下、本開示の実施の形態について図面を参照して詳細に説明する。
【００２９】
［通信システムの概要］
本開示の各実施の形態に係る通信システムは、例えば、LTE-Advancedに対応するシステムであって、通信装置として、基地局１００及び端末２００を備える。
【００３０】
基地局１００のセル内に、MTCカバレッジエンハンスメントモードの端末２００が複数個存在している場合を想定する。端末２００は、例えば、MTCカバレッジエンハンスメントモードが適用される場合、PUSCHを、複数のサブフレームに渡ってレピティションして送信する（レピティション送信）。ここで、例えば、レピティション送信は、１サブフレームを１回分として、同一の信号を複数回送信する。すなわち、端末２００は、所定のレピティション回数（レピティションレベル、又はRepetition Factorと呼ぶこともある）分の連続するサブフレームにおいて、所定のレピティション回数分の同一の信号を繰り返し送信する。その際、端末２００は、レピティション送信される信号に対して、サブフレーム間拡散符号系列の各成分をサブフレーム毎に乗算する（サブフレーム間拡散）。
【００３１】
例えば、NRep回のレピティションが行われる場合（つまり、レピティション回数：NRep）、端末２００は、１サブフレームの信号をNRepサブフレームに渡って繰り返し送信する。このとき、端末２００は、レピティション送信される信号に対して、レピティションが行われるサブフレーム毎にサブフレーム間拡散符号系列の各成分を乗算する。図２は、レピティション回数NRepが4であり、サブフレーム間拡散符号系列の系列長（又は拡散率）NSFが4である場合のPUSCHにおけるサブフレーム間拡散の一例を示す。サブフレーム間拡散符号系列の系列長又は拡散率NSFは、レピティション回数NRepと同一の値としてもよく、予め決められた値（例えば、セル固有の値）としてもよい。
【００３２】
このように、MTCカバレッジエンハンスメントモードに設定された端末２００は、１サブフレーム内にデータシンボルとDMRSとが時間多重されたPUSCHを複数のサブフレームに渡ってレピティションする。また、端末２００は、互いに直交する複数のサブフレーム間拡散符号系列のうちの１つの系列の各成分を、複数のサブフレーム毎の信号に乗算する。
【００３３】
図３は本開示の実施の形態に係る基地局１００の要部構成を示すブロック図である。図３に示す基地局１００において、制御部１０１は、互いに直交する複数の符号系列のうちの１つの符号系列であって、複数のサブフレームに渡ってレピティションされた復調用参照信号を含む上りリンク信号（PUSCH）に乗算される１つの符号系列を選択する。送信部１０８は、レピティションされた上りリンク信号の送信が設定された端末（MTCカバレッジエンハンスメントモードの端末）に対して、復調用参照信号に用いる巡回シフト及び直交系列（OCC）を通知するためのフィールドを用いて、選択された１つの符号系列を示す情報（下り制御情報（DCI））を送信する。
【００３４】
また、図４は、本開示の各実施の形態に係る端末２００の要部構成を示すブロック図である。図４に示す端末２００において、受信部２０２は、レピティションされた上りリンク信号（PUSCH）の送信が設定された場合（MTCカバレッジエンハンスメントモードの場合）、復調用参照信号に用いる巡回シフト及び直交系列（OCC）を通知するためのフィールドを用いて、互いに直交する複数の符号系列のうちの１つの符号系列を示す情報（下り制御情報（DCI））を受信する。拡散部２１２は、複数のサブフレームに渡ってレピティションされた復調用参照信号を含む上りリンク信号に、受信した情報によって示される前記１つの符号系列を乗算する。
【００３５】
（実施の形態１）
［基地局の構成］
図５は、本開示の実施の形態１に係る基地局１００の構成を示すブロック図である。図５において、基地局１００は、制御部１０１と、制御信号生成部１０２と、符号化部１０３と、変調部１０４と、信号割当部１０５と、IFFT（Inverse Fast Fourier Transform）部１０６と、CP（Cyclic Prefix）付加部１０７と、送信部１０８と、アンテナ１０９と、受信部１１０と、CP除去部１１１と、FFT（Fast Fourier Transform）部１１２と、逆拡散部１１３と、デマッピング部１１４と、チャネル推定部１１５と、等化部１１６と、復調部１１７と、復号部１１８と、判定部１１９と、を有する。
【００３６】
なお、図５に示す基地局１００の各構成は例示であり、他の構成に置き換える、又は、省略することが可能であり、本開示を実施するにおいて必ずしも全ての構成は必要ない。
【００３７】
制御部１０１は、端末２００に対してPUSCHの割当を決定する。例えば、制御部１０１は、端末２００に割り当てる、周波数リソース、変調・符号化方法及びサブフレーム間拡散符号などを決定（選択）し、決定したPUSCHの割当に関する情報を制御信号生成部１０２に出力する。
【００３８】
また、制御部１０１は、制御信号に対する符号化レベルを決定し、決定した符号化レベルを符号化部１０３に出力する。また、制御部１０１は、制御信号をマッピングする無線リソース（下りリソース）を決定し、決定した無線リソースに関する情報を信号割当部１０５に出力する。
【００３９】
制御信号生成部１０２は、端末２００向けの制御信号を生成する。制御信号には、制御部１０１から受け取ったPUSCHの割当に関する情報を指示するための上りリンク用DCIが含まれる。上りリンク用DCIは、複数のビットから構成されており、周波数割当リソース、変調・符号化方式などを指示する情報を含む。
【００４０】
また、MTCカバレッジエンハンスメントモードの端末２００（PUSCHを複数のサブフレームに渡ってレピティション送信する端末２００）に対する上りリンク用DCIには、サブフレーム間拡散符号を端末２００に指示するためのMSCI（Multiple-subframe spreading code indicator）が含まれる。MSCIは、３ビット又は２ビットから構成される。また、MSCIが２ビットで構成される場合、上りリンク用DCIには、１ビットのバーチャルCRCが含まれる。また、MTCカバレッジエンハンスメントモードではない端末（PUSCHを複数のサブフレームに渡ってレピティション送信しない端末）に対する上りリンク用DCIには、DMRSに用いる巡回シフト及びOCCを指示する情報が含まれる。
【００４１】
制御信号生成部１０２は、制御部１０１から入力される情報を用いて、制御情報ビット列（制御信号）を生成し、生成した制御信号を符号化部１０３へ出力する。なお、制御信号生成部１０２は、各端末２００向けの制御信号に、各端末２００の端末IDを含めてビット列を生成する。例えば、制御信号には、端末IDによってマスキングされたCRCビットが付加される。
【００４２】
符号化部１０３は、制御部１０１から指示された符号化レベルに従って、制御信号生成部１０２から受け取る制御信号（符号化ビット列）を符号化し、符号化後の制御信号を変調部１０４へ出力する。
【００４３】
変調部１０４は、符号化部１０３から受け取る制御信号を変調し、変調後の制御信号（シンボル列）を信号割当部１０５へ出力する。
【００４４】
信号割当部１０５は、変調部１０４から受け取る制御信号を、制御部１０１から指示される無線リソースにマッピングする。なお、制御信号がマッピングされる対象となる制御チャネルは、MTC用のPDCCHでもよく、EPDCCH（Enhanced PDCCH）でもよい。信号割当部１０５は、制御信号がマッピングされたMTC用のPDCCH又はEPDCCHを含む下りリンクサブフレームの信号をIFFT部１０６に出力する。
【００４５】
IFFT部１０６は、信号割当部１０５から受け取る信号に対してIFFT処理を行うことにより、周波数領域信号を時間領域信号に変換する。IFFT部１０６は、時間領域信号をCP付加部１０７へ出力する。
【００４６】
CP付加部１０７は、IFFT部１０６から受け取る信号に対してCPを付加し、CP付加後の信号（OFDM信号）を送信部１０８へ出力する。
【００４７】
送信部１０８は、CP付加部１０７から受け取るOFDM信号に対してD/A（Digital-to-Analog）変換、アップコンバート等のRF（Radio Frequency）処理を行い、アンテナ１０９を介して端末２００に無線信号を送信する。
【００４８】
受信部１１０は、アンテナ１０９を介して受信された端末２００からの上りリンク信号（PUSCH）に対して、ダウンコンバート又はA/D（Analog-to-Digital）変換などのRF処理を行い、得られる受信信号をCP除去部１１１に出力する。端末２００から送信される上りリンク信号（PUSCH）には、複数のサブフレームに渡ってレピティションされ、サブフレーム間拡散された信号が含まれる。
【００４９】
CP除去部１１１は、受信部１１０から受け取る受信信号に付加されているCPを除去し、CP除去後の信号をFFT部１１２へ出力する。
【００５０】
FFT部１１２は、CP除去部１１１から受け取る信号に対してFFT処理を行うことにより、周波数領域の信号系列に分解して、PUSCHのサブフレームに対応する信号を抽出し、抽出した信号を逆拡散部１１３へ出力する。
【００５１】
逆拡散部１１３は、レピティション送信及びサブフレーム間拡散された、複数のサブフレームに渡るPUSCHに対して、端末２００がサブフレーム間拡散に用いるべきサブフレーム間拡散符号を用いて、データ信号及びDMRSに相当する部分の信号を逆拡散する。端末２００がサブフレーム間拡散に用いるべきサブフレーム間拡散符号は、例えば、制御部１０１から指示される。逆拡散部１１３は、逆拡散後の信号をデマッピング部１１４へ出力する。
【００５２】
デマッピング部１１４は、逆拡散部１１３から受け取る信号から、端末２００に割り当てられたPUSCHのサブフレーム部分を抽出する。また、デマッピング部１１４は、抽出した端末２００のPUSCHのサブフレーム部分を、DMRSとデータシンボル（SC-FDMAデータシンボル）とに分解し、DMRSをチャネル推定部１１５に出力し、データシンボルを等化部１１６に出力する。
【００５３】
チャネル推定部１１５は、デマッピング部１１４から入力されるDMRSを用いてチャネル推定を行う。チャネル推定部１１５は、得られたチャネル推定値を等化部１１６に出力する。
【００５４】
等化部１１６は、チャネル推定部１１５から入力されるチャネル推定値を用いて、デマッピング部１１４から入力されるデータシンボルの等化を行う。等化部１１６は、等化後のデータシンボルを復調部１１７へ出力する。
【００５５】
復調部１１７は、等化部１１６から入力される周波数領域のSC-FDMAデータシンボルに対してIDFT（Inverse Discrete Fourier Transform）処理を適用し、時間領域信号へ変換した後、データ復調を行う。具体的には、復調部１１７は、端末２００に指示した変調方式に基づいて、シンボル系列をビット系列へ変換し、得られたビット系列を復号部１１８へ出力する。
【００５６】
復号部１１８は、復調部１１７から入力されるビット系列に対して誤り訂正復号を行い、復号後のビット系列を判定部１１９へ出力する。
【００５７】
判定部１１９は、復号部１１８から入力されるビット系列に対して誤り検出を行う。誤り検出は、ビット系列に付加されたCRCビットを用いて行われる。判定部１１９は、CRCビットの判定結果が誤り無しの場合、受信データを取り出し、ACKを出力する。一方、判定部１１９は、CRCビットの判定結果が誤り有りの場合、NACKを出力する。判定部１１９において出力されるACK及びNACKは、図示しない制御部において再送制御処理に用いられる。
【００５８】
［端末の構成］
図６は、本開示の実施の形態１に係る端末２００の構成を示すブロック図である。図６において、端末２００は、アンテナ２０１と、受信部２０２と、CP除去部２０３と、FFT部２０４と、抽出部２０５と、制御部２０６と、DMRS生成部２０７と、符号化部２０８と、変調部２０９と、多重部２１０と、DFT部２１１と、拡散部２１２と、信号割当部２１３と、IFFT部２１４と、CP付加部２１５と、送信部２１６と、を有する。
【００５９】
なお、図６に示す端末２００の各構成は例示であり、他の構成に置き換える、又は、省略することが可能であり、本開示を実施するにおいて必ずしも全ての構成は必要ない。
【００６０】
受信部２０２は、アンテナ２０１を介して受信された、基地局１００からの無線信号（MTC用のPDCCH又EPDCCH）に対してダウンコンバート又はAD変換などのRF処理を行い、ベースバンドのOFDM信号を得る。受信部２０２は、OFDM信号をCP除去部２０３へ出力する。
【００６１】
CP除去部２０３は、受信部２０２から受け取るOFDM信号に付加されているCPを除去し、CP除去後の信号をFFT部２０４へ出力する。
【００６２】
FFT部２０４は、CP除去部２０３から受け取る信号に対してFFT処理を行うことにより、時間領域信号を周波数領域信号に変換する。FFT部２０４は、周波数領域信号を抽出部２０５へ出力する。
【００６３】
抽出部２０５は、FFT部２０４から受け取る周波数領域信号に対してブラインド復号を行い、自端末宛ての制御信号であるか否かを判定する。制御信号には、端末IDによってマスキングされたCRCが付加されている。したがって、抽出部２０５は、ブラインド復号した結果、CRC判定がOK（誤りなし）であれば、自端末宛ての制御情報である判定し、その制御情報を制御部２０６へ出力する。また、制御信号にバーチャルCRCが含まれている場合、抽出部２０５は、CRC判定結果とバーチャルCRCにより、当該制御信号が自端末宛ての制御信号であるか否かを判断する。
【００６４】
制御部２０６は、抽出部２０５から入力される制御信号に基づいて、PUSCH送信の制御を行う。具体的には、制御部２０６は、制御信号に含まれるPUSCHのリソース割当情報に基づいて、PUSCH送信に割り当てられたリソースを信号割当部に指示する。また、制御部２０６は、制御信号に含まれる符号化・変調方式の情報に基づいて、PUSCH送信に用いる符号化方式及び変調方式を符号化部２０８及び変調部２０９にそれぞれ指示する。また、制御部２０６は、MTCカバレッジエンハンスメントモードの場合（PUSCHを複数のサブフレームに渡ってレピティション送信する場合）、制御信号に含まれるMSCIに基づいて、PUSCHレピティション送信に用いるサブフレーム間拡散符号を決定し、決定したサブフレーム間拡散符号を、拡散部２１２に指示する。また、MTCカバレッジエンハンスメントモードではない場合（PUSCHを複数のサブフレームに渡ってレピティション送信しない場合）は、上りリンク用DCIに含まれるDMRSに用いる巡回シフト及びOCCを指示する情報に基づいて、DMRSに用いる巡回シフト及びOCCを決定し、決定した巡回シフト及びOCCをDMRS生成部２０７に指示する。
【００６５】
DMRS生成部２０７は、制御部２０６から指示されたDMRSパターンに従ってDMRSを生成し、生成したDMRSを多重部２１０へ出力する。
【００６６】
符号化部２０８は、入力される送信データ（上りリンクデータ）に対して、端末２００の端末IDによってマスキングされたCRCビットを付加し、誤り訂正符号化を行い、符号化後のビット列を変調部２０９へ出力する。
【００６７】
変調部２０９は、符号化部２０８から受け取るビット列を変調して、変調後の信号（データシンボル系列）を多重部２１０へ出力する。
【００６８】
多重部２１０は、変調部２０９から入力されるデータシンボル系列と、DMRS生成部２０７から入力されるDMRSとを１サブフレーム内で時間多重し、多重後の信号をDFT部２１１へ出力する。
【００６９】
DFT部２１１は、多重部２１０から入力される信号に対してDFTを適用して、周波数領域信号を生成し、生成した周波数領域信号を拡散部２１２へ出力する。
【００７０】
拡散部２１２は、自端末がMTCカバレッジエンハンスメントモードの場合、DFT部２１１から入力される信号を複数のサブフレームに渡ってレピティションし、レピティション信号を生成する。また、拡散部２１２は、制御部２０６から指示されたサブフレーム間拡散符号を用いて、レピティション信号をサブフレーム間拡散し、拡散後の信号を信号割当部２１３へ出力する。すなわち、拡散部２１２は、レピティション信号に対して、レピティションが行われるサブフレーム毎にサブフレーム間拡散符号系列の各成分を乗算する。
【００７１】
信号割当部２１３は、拡散部２１２から受け取る信号を、制御部２０６から指示されるPUSCHの時間・周波数リソースにマッピングする。信号割当部２１３は、信号がマッピングされたPUSCHの信号をIFFT部２１４に出力する。
【００７２】
IFFT部２１４は、信号割当部２１３から入力される周波数領域のPUSCH信号に対してIFFT処理を行うことにより時間領域信号を生成する。IFFT部２１４は、生成した信号をCP付加部２１５へ出力する。
【００７３】
CP付加部２１５は、IFFT部２１４から受け取る時間領域信号に対してCPを付加し、CP付加後の信号を送信部２１６へ出力する。
【００７４】
送信部２１６は、CP付加部２１５から受け取る信号に対してD/A変換、アップコンバート等のRF処理を行い、アンテナ２０１を介して基地局１００に無線信号を送信する。
【００７５】
［基地局１００及び端末２００の動作］
以上の構成を有する基地局１００及び端末２００におけるサブフレーム間拡散符号の共有方法について詳細に説明する。
【００７６】
上述したように、LTE-Aでは、SU-MIMO及びMU-MIMOを適用する際、同一の時間・周波数リソースを用いて送信されるDMRS間の干渉を低減するために、DMRSに対して端末間で異なる巡回シフトを施したり、PUSCH内の２つのDMRSに端末間で異なるOCCを乗算したりすることで、複数のDMRSをサブフレーム内で直交多重する。
【００７７】
また、DMRSに用いる巡回シフトに関する情報及びOCCに関する情報は、上りリンク用のDCIを用いて通知される。具体的には、DCIフォーマットのうち、DCI format 0又はDCI format 4の中の3ビットが、DMRSに用いる巡回シフトに関する情報及びOCCに関する情報を通知するためのフィールドとして利用されている。
【００７８】
一方、MTCカバレッジエンハスメントは、基地局における端末からの希望波の受信電力が非常に小さい環境での運用が想定される。このような環境ではMIMOによる通信容量増加を目的とせず、SU-MIMO及びMU-MIMOが用いられないことが想定される。
【００７９】
また、MTCカバレッジエンハンスメントでは、端末のコスト低減の観点からシステム帯域内の1.4MHz程度の狭帯域を用いた送受信が想定されている（例えば、非特許文献４を参照）。LTE-Aでは、この1.4MHzの狭帯域をシステム帯域内で周波数ホッピングさせることでカバレッジエンハスメント効果を増大させることが検討されている（例えば、非特許文献４を参照）。周波数ホッピングを用いる際、隣接セル間で異なるホッピングパターンを用いることによって隣接セル間の干渉をランダム化することができる。このため、MTCカバレッジエンハスメントでは、隣接セル間干渉がほとんどない環境（孤立セル環境）での運用が想定される。
【００８０】
上述したように、MTCカバレッジエンハンスメントでは、MIMOが用いられないこと、及び、孤立セル環境での運用が想定される。このことから、MTCカバレッジエンハンスメントでは、同一の時間・周波数リソースを用いる複数の信号が同時に存在せず、干渉を与え合う複数の端末が同時に存在しないと想定できる。なお、サブフレーム間拡散符号を用いる場合、同一の時間・周波数リソースを用いる複数の端末が同時に存在するが、異なるサブフレーム間拡散符号が用いられることから、符号リソースで直交化できていると言うことができる。
【００８１】
したがって、MTCカバレッジエンハンスメントでは、既存のLTE-AのようにDMRSを直交化させる必要性が低い。つまり、MTCカバレッジエンハンスメントでは、DMRS間の干渉を低減するために、DMRS間でDMRSに用いる巡回シフト及びOCCを制御する必要性は低い。例えば、何れか１つの巡回シフト及びOCCが用いられればよい。したがって、端末によって使用される巡回シフト及びOCCを予め固定（動的に変更しない）するなどによって、巡回シフト及びOCCを基地局から端末へDCIを用いて通知（動的に変更）しなくてもよい。
【００８２】
そこで、本実施の形態では、基地局１００は、MTCカバレッジエンハンスメントモードの端末２００に対しては、DMRSに用いる巡回シフトに関する情報及びOCCに関する情報を通知するために利用されている既存のDCIフィールドを、サブフレーム間拡散符号の通知に利用する。つまり、基地局１００（送信部１０８）は、PUSCHに対してレピティションが適用される場合、PUSCHで送信されるDMRSに用いる巡回シフト及びOCCを通知するためのフィールドを用いて、複数のサブフレーム間拡散符号系列の中から選択した１つのサブフレーム間拡散符号系列を示す情報（MSCI）を送信する。
【００８３】
以下では、一例として、端末２００がMTCカバレッジエンハンスメントモードに設定され、PUSCHのレピティション送信を行う際に系列長（符号拡散率）NSF＝８のサブフレーム間拡散符号を用いたサブフレーム間拡散が適用される場合について説明する。
【００８４】
基地局１００は、端末２００がDMRSに用いる巡回シフト及びOCCを端末２００に予め通知する。DMRSに用いる巡回シフト及びOCCは、基地局１００及び端末２００間において予め規定されてもよい。また、基地局１００が端末２００に対して上位レイヤを介してDMRSに用いる巡回シフト及びOCCを通知してもよい。
【００８５】
DMRSは、LTE Rel.8〜12において使用されてきた、自己相関特性及び相互相関特性の優れたCAZAC（Constant Amplitude Zero Auto-Correlation）系列に基づいて生成されてもよく、その他の系列でもよい。
【００８６】
また、基地局１００は、端末２００に指示され得る複数のサブフレーム間拡散符号を端末２００と予め共有する。指示され得るサブフレーム間拡散符号は、基地局１００及び端末２００間において予め規定されてもよく、基地局１００が端末２００に対して上位レイヤを介して通知してもよい。
【００８７】
例えば、サブフレーム間拡散符号に、系列長（符号拡散率）NSF＝８であるWalsh系列を用いる場合、指示され得るサブフレーム間拡散符号は以下の８つとなる。
#0：(1,1,1,1,1,1,1,1)
#1：(1,-1,1,-1,1,-1,1,-1)
#2：(1,1,-1,-1,1,1,-1,-1)
#3：(1,-1,-1,1,1,-1,-1,1)
#4：(1,1,1,1,-1,-1,-1,-1)
#5：(1,-1,1,-1,-1,1,-1,1)
#6：(1,1,-1,-1,-1,-1,1,1)
#7：(1,-1,-1,1,-1,1,1,-1)
【００８８】
基地局１００は、端末２００に対して、MTC用のPDCCH又はEPDCCHを介して上りリンク用のDCIを送信し、PUSCHの割当リソースを指示する。
【００８９】
ここで、上りリンク用のDCIには、サブフレーム間拡散符号を指示する情報（MSCI）が含まれる。MSCIは、複数のサブフレーム間拡散符号の候補の中から何れか１つのサブフレーム間拡散符号を端末２００に指示する情報である。
【００９０】
すなわち、基地局１００（制御部１０１及び制御信号生成部１０２）は、複数のサブフレーム間拡散符号の候補の中から、端末２００に指示するサブフレーム間拡散符号を選択し、選択したサブフレーム間拡散符号を示すMSCIを生成する。そして、基地局１００は、生成したMSCIを含む上りリンク用のDCIを端末２００へ送信する。
【００９１】
その際、基地局１００は、DMRSに用いる巡回シフトに関する情報及びOCCに関する情報を通知するための既存のフィールドを用いて、MSCIを送信する。つまり、基地局１００は、MTCカバレッジエンハンスメントモードに設定された端末２００に対して、DMRSに用いる巡回シフト及びOCCを通知するための既存のフィールドを、サブフレーム間拡散符号を通知するために用いる。
【００９２】
図７Ａは、DMRSに用いる巡回シフト及びOCCを通知するためのフィールドの一例を示す。図７Ａでは、DMRSに用いる巡回シフトに関する情報（n(2)DMRS,λ）及びOCCに関する情報（[w(λ)(0) w(λ)(1)]）を通知するための既存のフィールドは３ビット（000〜111）で構成される。
【００９３】
これに対して、図７Ｂは、サブフレーム間拡散符号を通知するためのフィールドの一例を示す。図７Ｂに示すように、サブフレーム間拡散符号を通知するためのMSCIは、図７Ａに示す３ビットで構成される既存のフィールド（000〜111）を用いている。フィールドを構成する３ビットで表される各値（000〜111）には、複数のサブフレーム間拡散符号系列＃０〜＃７のそれぞれが対応付けられている。
【００９４】
つまり、図７Ｂは、図７Ａに示すDMRSに用いる巡回シフト及びOCCを通知するための３ビットの既存フィールドを、サブフレーム間拡散符号を通知するためのMSCIに対応付けた例である。
【００９５】
端末２００（抽出部２０５）は、受信したMTC用PDCCH又はEPDCCHをブラインド復号し、自端末宛のDCIを得る。そして、端末２００は、PUSCHに対して複数のサブフレームに渡るレピティションが適用される場合、受信したDCIの、PUSCHで送信されるDMRSに用いる巡回シフト及びOCCを通知するためのフィールドから、サブフレーム間拡散符号系列を示すMSCIを抽出する。端末２００（制御部２０６）は、MSCIに基づいて、複数のサブフレーム間拡散符号の候補の中から、端末２００が用いる一つのサブフレーム間拡散符号を決定する。そして、端末２００（拡散部２１２）は、決定されたサブフレーム間拡散符号に従ってPUSCHのレピティション送信を行う。
【００９６】
そして、基地局１００は、端末２００から送信された複数のサブフレームに渡るPUSCHを受信し、端末２００が用いたサブフレーム間拡散符号を用いて、サブフレーム間逆拡散を行う。また、基地局１００は、 サブフレーム間逆拡散後のPUSCHサブフレームから抽出したDMRSに基づいてチャネル推定を行い、得られたチャネル推定値を用いて、データシンボルの等化、レピティション合成、復調及び復号を行う。
【００９７】
以上のように、本実施の形態では、基地局１００は、MTCカバレッジエンハンスメントモードに設定された端末２００に対して、DMRSに用いる巡回シフト及びOCCを通知するための既存のフィールド（図７Ａでは３ビット）を用いて、サブフレーム間拡散符号（MSCI）を通知する。
【００９８】
こうすることで、本実施の形態によれば、基地局１００及び端末２００間において、オーバーヘッドを増加させることなく、サブフレーム間拡散符号を共有することができる。
【００９９】
（実施の形態２）
サブフレーム間拡散を用いる場合、サブフレーム間符号拡散の拡散率（系列長）倍の時間内において、サブフレーム間拡散符号系列間での直交性を保つ必要がある。このため、サブフレーム内での符号拡散と比較すると、サブフレーム間拡散では、サブフレーム間拡散符号系列間の直交性崩れによって符号間干渉が発生しやすい。
【０１００】
DMRSについてはチャネル推定精度向上のために、符号間干渉を可能な限り小さくしたほうがよい。
【０１０１】
そこで、本実施の形態では、サブフレーム間拡散符号による直交化に加え、既存のLTE-AのDMRSに用いる巡回シフト及びOCCによる直交化も利用することで、DMRS間の符号間干渉を抑圧することができる装置及び方法について説明する。
【０１０２】
なお、本実施の形態に係る基地局及び端末は、実施の形態１に係る基地局１００及び端末２００と基本構成が共通するので、図５及び図６を援用して説明する。
【０１０３】
以下では、一例として、端末２００がMTCカバレッジエンハンスメントモードに設定され、PUSCHのレピティション送信を行う際に系列長（符号拡散率）NSF＝８のサブフレーム間拡散符号を用いたサブフレーム間拡散が適用される場合について説明する。
【０１０４】
基地局１００は、端末２００に指示され得る、DMRSに用いる巡回シフト及びOCCの複数の組み合わせを端末２００と予め共有する。指示され得る巡回シフト及びOCCの組み合わせは、基地局１００及び端末２００間において予め規定されてもよく、基地局１００が端末２００に対して上位レイヤを介して通知してもよい。
【０１０５】
DMRSは、LTE Rel.8〜12において使用されてきた、自己相関特性及び相互相関特性の優れたCAZAC（Constant Amplitude Zero Auto-Correlation）系列に基づいて生成される。
【０１０６】
また、基地局１００は、端末２００に指示され得る複数のサブフレーム間拡散符号を端末２００と予め共有する。指示され得るサブフレーム間拡散符号は、基地局１００及び端末２００間において予め規定されてもよく、基地局１００が端末２００に対して上位レイヤを介して通知してもよい。
【０１０７】
例えば、サブフレーム間拡散符号に、系列長（拡散率）NSF＝８であるWalsh系列を用いる場合、指示され得るサブフレーム間拡散符号は以下の８つとなる。
#0：(1,1,1,1,1,1,1,1)
#1：(1,-1,1,-1,1,-1,1,-1)
#2：(1,1,-1,-1,1,1,-1,-1)
#3：(1,-1,-1,1,1,-1,-1,1)
#4：(1,1,1,1,-1,-1,-1,-1)
#5：(1,-1,1,-1,-1,1,-1,1)
#6：(1,1,-1,-1,-1,-1,1,1)
#7：(1,-1,-1,1,-1,1,1,-1)
【０１０８】
基地局１００は、端末２００に対して、MTC用のPDCCH又はEPDCCHを介して上りリンク用のDCIを送信し、PUSCHの割当リソースを指示する。
【０１０９】
ここで、上りリンク用のDCIには、実施の形態１と同様、サブフレーム間拡散符号を指示する情報（MSCI）が含まれる。
【０１１０】
ただし、本実施の形態に係るMSCIは、サブフレーム間拡散符号に加えて、DMRSに用いる巡回シフト及びOCCの複数の組み合わせの中から何れか１つの巡回シフト及びOCCの組み合わせを端末２００に指示する。
【０１１１】
すなわち、基地局１００（制御部１０１及び制御信号生成部１０２）は、端末２００に指示するサブフレーム間拡散符号と、DMRSに用いる巡回シフト及びOCCの組み合わせとを決定し、決定したサブフレーム間拡散符号と、DMRSに用いる巡回シフト及びOCCの組み合わせとに基づいてMSCIを生成する。そして、基地局１００は、生成したMSCIを含む上りリンク用のDCIを端末２００へ送信する。
【０１１２】
つまり、基地局１００は、MTCカバレッジエンハンスメントモードに設定された端末２００に対して、DMRSに用いる巡回シフトに関する情報及びOCCに関する情報を通知するための既存のフィールドを、サブフレーム間拡散符号と、DMRSに用いる巡回シフト及びOCCとを通知するために用いる。
【０１１３】
図８は、サブフレーム間拡散符号と、DMRSに用いる巡回シフト及びOCCとを通知するためのフィールドの一例を示す。図８に示すように、サブフレーム間拡散符号と、DMRSに用いる巡回シフト及びOCCとを通知するためのMSCIは、図７Ａに示す３ビットで構成される既存のフィールド（000〜111）を用いている。フィールドを構成する３ビットで表される各値（000〜111）には、複数のサブフレーム間拡散符号系列＃０〜＃７のそれぞれと、巡回シフト及びOCCの複数の組み合わせのそれぞれが対応付けられる。
【０１１４】
つまり、図８は、図７Ａに示すDMRSに用いる巡回シフト及びOCCを通知するための３ビットの既存フィールドを、サブフレーム間拡散符号と、DMRSに用いる巡回シフト及びOCCとを通知するためのMSCIに対応付けた例である。  
【０１１５】
なお、図８では、一例として、MSCIの各値に対して、図７Ａに示すλ＝０における巡回シフト及びOCCの組み合わせを対応付けている。しかし、MSCIに対する巡回シフト及びOCCの組み合わせの対応付けはこれに限定されず、例えば、図７Ａに示すλ＝１〜３の何れか１つにおける巡回シフト及びOCCの組み合わせを対応付けてもよく、これら以外の任意の対応付けでもよい。
【０１１６】
端末２００（抽出部２０５）は、受信したMTC用PDCCH又はEPDCCHをブラインド復号し、自端末宛のDCIを得る。そして、MTCカバレッジエンハンスメントモードの端末２００は、受信したDCIの、DMRSに用いる巡回シフト及びOCCを通知するためのフィールドから、サブフレーム間拡散符号系列、巡回シフト及びOCCを示すMSCIを抽出する。端末２００（制御部２０６）は、MSCIに基づいて、複数のサブフレーム間拡散符号の候補の中から、端末２００が用いる一つのサブフレーム間拡散符号を決定する。また、端末２００（制御部２０６）は、MSCIに基づいて、巡回シフト及びOCCの複数の組み合わせの中から、端末２００が用いる巡回シフト及びOCCの一つの組み合わせを決定する。
【０１１７】
そして、端末２００（DMRS生成部２０７）は、決定した巡回シフト及びOCCの組み合わせに従ってDMRSを生成する。また、端末２００（拡散部２１２）は、決定したサブフレーム間拡散符号に従ってPUSCHのレピティション送信を行う。
【０１１８】
一方、基地局１００は、端末２００から送信された複数のサブフレームに渡るPUSCHを受信し、端末２００が用いたサブフレーム間拡散符号を用いて、サブフレーム間逆拡散を行う。また、基地局１００は、サブフレーム間逆拡散後のPUSCHサブフレームから抽出したDMRSに基づいてチャネル推定を行い、得られたチャネル推定値を用いて、データシンボルの等化、レピティション合成、復調及び復号を行う。
【０１１９】
以上のように、本実施の形態では、基地局１００は、実施の形態１と同様、MTCカバレッジエンハンスメントモードに設定された端末２００に対して、DMRSに用いる巡回シフト及びOCCを通知するための既存のフィールド（図７Ａでは３ビット）を用いて、サブフレーム間拡散符号を通知する。こうすることで、本実施の形態によれば、実施の形態１と同様、オーバーヘッドを増加させることなく、基地局１００及び端末２００間において、サブフレーム間拡散符号を共有することができる。
【０１２０】
また、本実施の形態では、基地局１００は、MTCカバレッジエンハンスメントモードに設定された端末２００に対して、MSCIを用いて、サブフレーム間拡散符号に加え、DMRSに用いる巡回シフト及びOCCを併せて通知する。こうすることで、本実施の形態によれば、基地局１００が、DMRSに用いる巡回シフト及びOCCを、DCIを用いて端末２００に通知できる。これにより、サブフレーム間拡散を用いる場合でも、DMRSの直交化によって、サブフレーム間拡散符号系列間の直交性の崩れによる符号化干渉を抑圧することができ、DMRS間の符号間干渉の発生を抑圧することができる。
【０１２１】
［実施の形態２のバリエーション］
サブフレーム間拡散符号間の直交性と、巡回シフト及びOCCによるDMRS間のサブフレーム内の直交性とを考慮して、DMRS間の符号間干渉を十分に抑圧することを考える。
【０１２２】
図９は、図８に示すMSCIの各値（000〜111）に対応付けられた、サブフレーム間拡散符号と、巡回シフト及びOCCの組み合わせとを、巡回シフト軸及び直交符号軸上で表した図である。図９に示すブロック内の値はMSCIの値を表す。
【０１２３】
例えば、MSCI=000に対応するサブフレーム間拡散符号＃０(1,1,1,1,1,1,1,1)と、MSCI=100に対応するサブフレーム間拡散符号＃４(1,1,1,1,-1,-1,-1,-1)との間では、端末２００の移動に起因する符号間干渉を受けやすく、直交性が低い。一般的に言うと、次式で与えられるWalsh-Hadamard行列の第n列に対応する符号と第n+4列(n=0〜3)に対応する符号との直交性が低くなる。
【０１２４】
【数１】
2020058046.tif 000003
【０１２５】
また、例えば、MSCI＝000に対応する巡回シフト＝0，OCC＝[1 1]を用いたDMRSと、MSCI=100に対応する巡回シフト＝2，OCC＝[1 1]を用いたDMRSとの間では、巡回シフトの差が２であり巡回シフト系列間の直交性が低く、かつ同一OCCを用いている。このため、これらのDMRSは、端末２００での送信タイミングのずれ又はマルチパスによる遅延波の影響を受けやすい。
【０１２６】
このように、MSCIへのサブフレーム間拡散符号、巡回シフト及びOCCの対応付けが、符号間干渉に影響を与え得る。
【０１２７】
そこで、本バリエーションでは、互いに直交性の低いサブフレーム間拡散符号のペアを互いに直交性の高い巡回シフト（巡回シフト系列）及びOCCに関連付けることによって、符号間干渉を低減する方法について説明する。
【０１２８】
具体的には、Walsh-Hadamard行列の第n列及び第n+4列（n=0〜3）に対応する２つのサブフレーム間拡散符号に、巡回シフトの差が最大値の６である２つの巡回シフトを、それぞれ関連付ける。このように関連付けられたサブフレーム間拡散符号、巡回シフト及びOCCを、MSCIに対応付ける。
【０１２９】
図１０Ａは、サブフレーム間拡散符号、DMRSに用いる巡回シフト及びOCCを通知するためのフィールドの一例を示す。図１０Ａにおいて、MSCIを構成する３ビットによって表される値（000〜111）と、巡回シフト及びOCCとの対応付けは、図８と同様である。
【０１３０】
例えば、図１０Ａに示すように、MSCIを構成する３ビットで表される値（000〜111）のうち、巡回シフトの差が最大の６である巡回シフト0と巡回シフト6がそれぞれ対応付けられているMSCI＝000とMSCI=001に対して、複数のサブフレーム間拡散符号系列の中で互いに直交性が低いサブフレーム間拡散符号系列＃０及びサブフレーム間拡散符号系列＃４（Walsh-Hadamard行列の第0列及び第4列）のペアを対応付ける。
【０１３１】
同様に、図１０Ａに示すように、巡回シフトの差が最大の６である巡回シフト＝3と巡回シフト＝9がそれぞれ対応付けられているMSCI＝010とMSCI＝111には、複数のサブフレーム間拡散符号系列の中で互いに直交性が低いサブフレーム間拡散符号系列＃２及びサブフレーム間拡散符号系列＃６（Walsh-Hadamard行列の第2列及び第6列）のペアが対応付けられている。図１０Ａに示す他のMSCIの各値についても同様である。
【０１３２】
図１０Ｂは、図１０Ａに示すMSCIの各値（000〜111）に対応付けられた、サブフレーム間拡散符号と、巡回シフト及びOCCの組み合わせとを、巡回シフト軸及び直交符号軸上で表した図である。
【０１３３】
図１０Ｂに示すように、MSCI=000に対応するサブフレーム間拡散符号＃０(1,1,1,1,1,1,1,1)と、MSCI=001に対応するサブフレーム間拡散符号＃４(1,1,1,1,-1,-1,-1,-1)との間では、端末２００の移動に起因する符号間干渉を受けやすい。しかし、図１０Ｂに示すように、サブフレーム間拡散符号＃０とサブフレーム間拡散符号＃４にそれぞれ対応付けられた巡回シフトの差は、最大の６である。すなわち、サブフレーム間拡散符号系列同士では端末２００の移動に起因する符号間干渉を受けやすいものの、これらのサブフレーム間拡散符号系列に対応付けられたDMRS間による直交化によって符号化干渉を低減することができる。
【０１３４】
このように、互いに直交性の低いサブフレーム間拡散符号のペアと、互いに直交性の高い巡回シフト及びOCCとが関連付けられることにより、符号間干渉を低減することができる。
【０１３５】
なお、本実施の形態では、DMRSに用いる巡回シフト及びOCCの組み合わせは、図７Ａに示す既存のLTE-Aのλ=0における巡回シフト及びOCCの組み合わせと同じにした。こうすることで、PUSCHの送受信よりも前に予め通知しておく巡回シフト及びOCCの複数の組み合わせに加えて、MTCカバレッジエンハンスメント用の組み合わせを改めて通知する必要がない。
【０１３６】
（実施の形態３）
本実施の形態では、MTCカバレッジエンハンスメントモードに設定された端末に通知するサブフレーム間拡散符号の候補数（使用可能なサブフレーム間拡散符号の数）が、DMRSに用いる巡回シフト及びOCCを通知するための既存のフィールドを構成するビットで通知できる値の個数（ビットで表される値の個数）よりも少ない場合について説明する。
【０１３７】
本実施の形態に係る基地局及び端末は、実施の形態１に係る基地局１００及び端末２００と基本構成が共通するので、図５及び図６を援用して説明する。
【０１３８】
本実施の形態では、一例として、端末２００がMTCカバレッジエンハンスメントモードに設定され、PUSCHのレピティション送信を行う際に系列長（符号拡散率）NSF＝４のサブフレーム間拡散符号を用いたサブフレーム間拡散が適用される場合について説明する。また、DMRSに用いる巡回シフト及びOCCを通知するための既存のフィールドが３ビットで構成されるものとする。
【０１３９】
また、本実施の形態では、実施の形態２と同様、MSCIに、図７Ａに示す既存のLTE-Aのλ=0における、DMRSに用いる巡回シフト及びOCCの組み合わせを対応付ける。DMRSに用いる巡回シフト及びOCCの組み合わせを、既存のLTE-Aにおける組み合わせと同じにすることで、PUSCHの送受信よりも前に予め通知しておく巡回シフト及びOCCの複数の組み合わせに加えて、MTCカバレッジエンハンスメント用の組み合わせを改めて通知する必要がない。
【０１４０】
実施の形態２と同様、基地局１００は、端末２００に指示され得る、DMRSに用いる巡回シフト及びOCCの複数の組み合わせを端末２００と予め共有する。また、実施の形態２と同様、基地局１００は、端末２００に指示され得る複数のサブフレーム間拡散符号を端末２００と予め共有する。
【０１４１】
例えば、サブフレーム間拡散符号に、系列長（拡散率）NSF＝４であるWalsh系列を用いる場合、指示され得るサブフレーム間拡散符号は以下の４つとなる。
#0：(1,1,1,1)
#1：(1,-1,1,-1)
#2：(1,1,-1,-1)
#3：(1,-1,-1,1)
【０１４２】
また、指示され得るサブフレーム間拡散符号は、Walsh-Hadamardを用いて次式で表される。
【０１４３】
【数２】
2020058046.tif 000004
【０１４４】
図１１Ａは、サブフレーム間拡散符号と、DMRSに用いる巡回シフト及びOCCとを通知するためのフィールドの一例を示す。図１１Ａに示すように、サブフレーム間拡散符号の拡散率NSF=4の場合、MSCI（３ビット）とサブフレーム間拡散符号（候補数４個）との対応関係が１対１ではなく、１つのサブフレーム間拡散符号が２つのMSCIに対応付けられている。
【０１４５】
ここで、同一の時間・周波数リソース及び同一のサブフレーム間拡散符号を用いて複数の端末２００の信号が同時に多重されることはないと想定する。つまり、複数の端末２００において、上述した１つのサブフレーム間拡散符号に対応付けられた２つのMSCIが同時に使用されることはないと想定する。
【０１４６】
そこで、本実施の形態では、一つのサブフレーム間拡散符号を、互いに直交性の低い２つの巡回シフトに関連付ける。これにより、符号間干渉を低減することができる。
【０１４７】
例えば、図１１Ａに示すように、サブフレーム間拡散符号＃０は、巡回シフトの差が２の巡回シフト＝0と巡回シフト＝2に関連付けられ、サブフレーム間拡散符号＃１は、巡回シフトの差が１の巡回シフト＝3と巡回シフト＝4に関連付けられ、サブフレーム間拡散符号＃２は、巡回シフトの差が２の巡回シフト＝6と巡回シフト＝8に関連付けられ、サブフレーム間拡散符号＃３は、巡回シフトの差が１の巡回シフト＝9と巡回シフト＝10に関連付けられる。
【０１４８】
また、実施の形態２と同様、互いに直交性の低いサブフレーム間拡散符号のペアを互いに直交性の高い巡回シフト及びOCCを用いるDMRSと関連付ける。これにより、符号間干渉を低減することができる。具体的には、図１１Ａに示すようにWalsh-Hadamard行列の第n列及び第n+2列（n=0〜1）に対応する２つのサブフレーム間拡散符号に、巡回シフトの差が最大値の６である２つの巡回シフトを、それぞれ関連付ける。このように関連付けられたサブフレーム間拡散符号、巡回シフト及びOCCを、MSCIに対応付ける。
【０１４９】
例えば、図１１Ａに示すように、MSCIを構成する３ビットで表される値（000〜111）のうち、巡回シフトの差が最大の６である巡回シフト＝0と巡回シフト＝6がそれぞれ対応付けられているMSCI＝000とMSCI＝001に、複数のサブフレーム間拡散符号系列の中で互いに直交性が低いサブフレーム間拡散符号系列＃０及びサブフレーム間拡散符号系列＃２（Walsh-Hadamard行列の第0列及び第2列）のペアが対応付けられている。また、巡回シフトの差が最大の６である巡回シフト＝2と巡回シフト＝8がそれぞれ対応付けられているMSCI＝100とMSCI＝101にも、サブフレーム間拡散符号系列＃０及びサブフレーム間拡散符号系列＃２のペアが対応付けられている。
【０１５０】
同様に、図１１Ａに示すように、巡回シフトの差が最大の６である巡回シフト＝3と巡回シフト＝9がそれぞれ対応付けられているMSCI＝010とMSCI＝111に、複数のサブフレーム間拡散符号系列の中で互いに直交性が低いサブフレーム間拡散符号系列＃１及びサブフレーム間拡散符号系列＃３（Walsh-Hadamard行列の第1列及び第3列）のペアが対応付けられている。また、巡回シフトの差が最大の６である巡回シフト＝4と巡回シフト＝10がそれぞれ対応付けられているMSCI＝011とMSCI＝110にも、サブフレーム間拡散符号系列＃１及びサブフレーム間拡散符号系列＃３のペアが対応付けられている。
【０１５１】
図１１Ｂは、図１１Ａに示すMSCIの各値（000〜111）に対応付けられた、サブフレーム間拡散符号と、巡回シフト及びOCCの組み合わせとを、巡回シフト軸及び直交符号軸上で表した図である。
【０１５２】
図１１Ｂに示すように、MSCIに対応付けられた（使用可能な）巡回シフトのうち、隣接する２つの巡回シフトに、同一のサブフレーム間拡散符号系列が関連付けられる。
【０１５３】
例えば、MSCI=000に対応するサブフレーム間拡散符号＃０とMSCI=100に対応するサブフレーム間拡散符号＃０とにそれぞれ関連付けられた２つの巡回シフトは、巡回シフトの差が２であり、かつ、同一OCCが組み合わされているので、直交性が低い。しかし、これらのリソースには同一のサブフレーム間拡散符号が対応付けられ、複数の端末２００において同時に使用されることはない。図１１Ｂに示す他のサブフレーム間拡散符号系列＃１〜＃３についても同様である。
【０１５４】
なお、図１１Ｂでは、同一サブフレーム間拡散符号系列が関連付けられた隣接する巡回シフトの巡回シフトの差が２である場合（サブフレーム間拡散符号系列＃０又は＃２の場合）、その巡回シフトと組み合わされたOCCは同一である。一方、同一サブフレーム間拡散符号系列が関連付けられた隣接する巡回シフトの巡回シフトの差が１である場合（サブフレーム間拡散符号系列＃１又は＃３の場合）、その巡回シフトと組み合わされたOCCは異なる。
【０１５５】
このように、互いに直交性の低い巡回シフト及びOCCを用いるDMRSに対して同一のサブフレーム間拡散符号が関連付けられることにより、これらのDMRSが複数の端末２００において同時に設定されることを回避し、符号間干渉を低減することができる。
【０１５６】
また、図１１Ｂに示すように、MSCI=000に対応するサブフレーム間拡散符号＃０(1,1,1,1)と、MSCI=001に対応するサブフレーム間拡散符号＃２(1,1,-1,-1)との間では、端末２００の移動に起因する符号間干渉を受けやすい。しかし、図１１Ｂに示すように、サブフレーム間拡散符号＃０とサブフレーム間拡散符号＃２にそれぞれ対応付けられた巡回シフトの差は、最大の６である。このように、互いに直交性の低いサブフレーム間拡散符号のペアと、互いに直交性の高い巡回シフト及びOCCとが関連付けられることにより、実施の形態２と同様、符号間干渉を低減することができる。
【０１５７】
以上のように、本実施の形態では、サブフレーム間拡散符号の候補数（使用可能数）が、DMRSに用いる巡回シフト及びOCCを通知するための既存のフィールドを構成するビットで通知できる値の個数よりも少ない場合に、一つのサブフレーム間拡散符号に、互いに直交性の低い巡回シフトを関連付ける。こうすることで、DMRS間の直交性の低下に起因する符号間干渉を抑圧することができる。
【０１５８】
更に、本実施の形態では、互いに直交性の低いサブフレーム間拡散符号に対して、互いに直交性の高い巡回シフトを関連付ける。こうすることで、DMRSの直交化によって、サブフレーム間拡散符号系列間の直交性の崩れによるDMRS間の符号化干渉を抑圧することができる。
【０１５９】
また、本実施の形態によれば、実施の形態１と同様、オーバーヘッドを増加させることなく、基地局１００及び端末２００間において、サブフレーム間拡散符号を共有することができる。
【０１６０】
（実施の形態４）
本実施の形態では、実施の形態３と同様、MTCカバレッジエンハンスメントモードに設定された端末に通知するサブフレーム間拡散符号の候補数（使用可能なサブフレーム間拡散符号の数）が、DMRSに用いる巡回シフト及びOCCを通知するための既存のフィールドを構成するビットで通知できる値の個数よりも少ない場合について説明する。
【０１６１】
ただし、実施の形態３では、一つのサブフレーム間拡散符号を複数のMSCIに対応付ける場合について説明したが、本実施の形態では、１つのサブフレーム間拡散符号と１つのMSCIとを１対１で対応付ける場合について説明する。
【０１６２】
本実施の形態に係る基地局及び端末は、実施の形態１に係る基地局１００及び端末２００と基本構成が共通するので、図５及び図６を援用して説明する。
【０１６３】
本実施の形態では、一例として、端末２００がMTCカバレッジエンハンスメントモードに設定され、PUSCHのレピティション送信を行う際に系列長（符号拡散率）NSF＝４のサブフレーム間拡散符号を用いたサブフレーム間拡散が適用される場合について説明する。また、DMRSに用いる巡回シフト及びOCCを通知するための既存のフィールドが３ビットで構成されるものとする。
【０１６４】
実施の形態２と同様、基地局１００は、端末２００に指示され得る、DMRSに用いる巡回シフト及びOCCの複数の組み合わせを端末２００と予め共有する。また、実施の形態２と同様、基地局１００は、端末２００に指示され得る複数のサブフレーム間拡散符号を端末２００と予め共有する。
【０１６５】
また、サブフレーム間拡散符号に、系列長（拡散率）NSF＝４であるWalsh系列を用いる場合、指示され得るサブフレーム間拡散符号は以下の４つとなる。
#0：(1,1,1,1)
#1：(1,-1,1,-1)
#2：(1,1,-1,-1)
#3：(1,-1,-1,1)
【０１６６】
サブフレーム間拡散符号の拡散率NSF=4の場合、サブフレーム間拡散符号系列の数は４個である。よって、拡散率NSF=4のサブフレーム間拡散符号の通知に要するビット数は２ビットである。つまり、実施の形態１と同様にして、DMRSに用いる巡回シフト及びOCCを通知するための既存のフィールド（３ビット）を、サブフレーム間拡散符号を通知するために用いる場合、３ビットのうち２ビットを用いればよく、１ビットが余る。
【０１６７】
そこで、本実施の形態では、基地局１００は、DMRSに用いる巡回シフト及びOCCを通知するための既存のフィールド（３ビット）のうち、２ビットをMSCIとして用い、MSCIによってサブフレーム間拡散符号と、DMRSに用いる巡回シフト及びOCCとを通知する。
【０１６８】
図１２Ａは、サブフレーム間拡散符号と、DMRSに用いる巡回シフト及びOCCとを通知するためのフィールドの一例を示す。図１２では、DMRSに用いる巡回シフト及びOCCを通知するための既存のフィールド（３ビット）のうち、サブフレーム間拡散符号系列の通知に要する２ビットで表される各値（00〜11）に、サブフレーム間拡散符号系列と、巡回シフト及びOCCの組み合わせとが対応付けられている。
【０１６９】
また、実施の形態２と同様、互いに直交性の低いサブフレーム間拡散符号のペアを互いに直交性の高い巡回シフト及びOCCを用いるDMRSと関連付ける。これにより、符号間干渉を低減することができる。具体的には、図１２Ａに示すようにWalsh-Hadamard行列の第n列及び第n+2列（n=0〜1）に対応する２つのサブフレーム間拡散符号に、巡回シフトの差が最大値の６である２つの巡回シフトを、それぞれ関連付ける。このように関連付けられたサブフレーム間拡散符号、巡回シフト及びOCCを、MSCIに対応付ける。
【０１７０】
例えば、図１２Ａに示すように、MSCIを構成する２ビットで表される値（00〜11）のうち、巡回シフトの差が最大の６である巡回シフト＝0と巡回シフト＝6にそれぞれ対応付けられているMSCI＝00とMSCI＝01に、複数のサブフレーム間拡散符号系列の中で互いに直交性が低いサブフレーム間拡散符号系列＃０及びサブフレーム間拡散符号系列＃２（Walsh-Hadamard行列の第0列及び第2列）のペアが対応付けられている。
【０１７１】
同様に、図１２Ａに示すように、巡回シフトの差が最大の６である巡回シフト＝3と巡回シフト＝9がそれぞれ対応付けられているMSCI＝10とMSCI＝11に、複数のサブフレーム間拡散符号系列の中で互いに直交性が低いサブフレーム間拡散符号系列＃１及びサブフレーム間拡散符号系列＃３（Walsh-Hadamard行列の第1列及び第3列）のペアが対応付けられている。
【０１７２】
図１２Ｂは、図１２Ａに示すMSCIの各値（00〜11）に対応付けられた、サブフレーム間拡散符号と、巡回シフト及びOCCの組み合わせとを、巡回シフト軸及び直交符号軸上で表した図である。
【０１７３】
図１２Ｂに示すように、MSCI=00に対応するサブフレーム間拡散符号＃０(1,1,1,1)と、MSCI=01に対応するサブフレーム間拡散符号＃２(1,1,-1,-1)との間では、端末２００の移動に起因する符号間干渉を受けやすい。しかし、図１２Ｂに示すように、サブフレーム間拡散符号＃０とサブフレーム間拡散符号＃０＃２にそれぞれ対応付けられた巡回シフトの差は、最大の６である。
【０１７４】
このように、互いに直交性の低いサブフレーム間拡散符号のペアと、互いに直交性の高い巡回シフト及びOCCとが関連付けられることにより、符号間干渉を低減することができる。
【０１７５】
また、本実施の形態では、DMRSに用いる巡回シフト及びOCCを通知するための既存のフィールド（３ビット）のうち、MSCIとして用いる２ビット以外の残りの１ビットは、基地局１００と端末２００との間で互いに既知のビット（つまり，バーチャルCRC）として用いられる。すなわち、DMRSに用いる巡回シフト及びOCCを通知するための既存のフィールド（３ビット）は、MSCIとバーチャルCRCとによって構成される。
【０１７６】
端末２００（抽出部２０５）は、自端末宛の可能性があるDCIに付加されたCRCビットを、自端末の端末IDによってデマスキング（又は、デスクランブリング）し、CRCビット列とバーチャルCRCビットとを用いて、PDCCHをブラインド復号して、自端末宛のDCIを検出する。
【０１７７】
こうすることで、端末２００は、受信したDCIが自端末宛てであるか否かの判定において、CRCビットの判定結果に加え、バーチャルCRCを利用することができる。例えば、端末２００は、自端末の端末IDによってデマスキング（又は、デスクランブリング）したCRCビットのチェック結果が正しいことを示している場合でも、受信したDCIに含まれるバーチャルCRCビットと既知ビットとが一致しない場合、当該DCIを無視することができる。
【０１７８】
これにより、端末２００における制御情報の誤検出を低減することができる。誤検出の低減は、カバレッジの拡大に寄与する。
【０１７９】
以上、本開示の各実施の形態について説明した。
【０１８０】
なお、上記実施の形態において用いた、レピティション回数、DMRSに用いる巡回シフト、OCCの系列長、及び、サブフレーム間拡散符号系列の系列長の値は一例であって、これらに限定されるものではない。
【０１８１】
また、上記実施の形態では、本開示の一態様をハードウェアで構成する場合を例にとって説明したが、本開示はハードウェアとの連携においてソフトウェアで実現することも可能である。
【０１８２】
また、上記実施の形態の説明に用いた各機能ブロックは、典型的には集積回路であるＬＳＩとして実現される。集積回路は、上記実施の形態の説明に用いた各機能ブロックを制御し、入力と出力を備えてもよい。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１８３】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１８４】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１８５】
本開示の通信装置は、互いに直交する複数の符号系列のうちの１つの符号系列であって、複数のサブフレームに渡ってレピティションされた復調用参照信号を含む上りリンク信号に乗算される前記１つの符号系列を選択する制御部と、レピティションされた前記上りリンク信号の送信が設定された端末に対して、前記復調用参照信号に用いる巡回シフト及び直交系列を通知するためのフィールドを用いて、選択された前記１つの符号系列を示す情報を送信する送信部と、を具備する。
【０１８６】
また、本開示の通信装置において、前記フィールドを構成するビットで通知できる複数の値に、前記複数の符号系列がそれぞれ対応付けられる。
【０１８７】
また、本開示の通信装置において、前記フィールドを構成するビットで通知できる複数の値には、前記符号系列と、前記巡回シフトと、前記直交系列との複数の組み合わせがそれぞれ対応付けられる。
【０１８８】
また、本開示の通信装置において、前記フィールドを構成するビットで通知できる複数の値のうち、巡回シフトの差が最大の２つの巡回シフトがそれぞれ対応付けられている２つの値に、前記複数の符号系列の中で互いに直交性が低い２つの符号系列がそれぞれ対応付けられる。
【０１８９】
また、本開示の通信装置において、前記フィールドを構成するビットで通知できる複数の値の個数よりも、前記複数の符号系列の数が少ない場合、前記複数の値のうち、隣接する巡回シフトが対応付けられている２つの値に、１つの符号系列が対応付けられる。
【０１９０】
また、本開示の通信装置において、前記フィールドを構成するビットで通知できる複数の値の個数よりも、前記複数の符号系列の数が少ない場合、前記ビットのうち、前記複数の符号系列のうちの一つの符号系列の通知に要する数のビットで通知できる複数の値には、前記符号系列と、前記巡回シフトと、前記直交系列との複数の組み合わせがそれぞれ対応付けられ、前記フィールドを構成するビットのうち、前記通知に要する数のビット以外の残りのビットは、既知ビットである。
【０１９１】
また、本開示の通信装置において、前記選択された１つの符号系列の各成分は、前記端末において、前記複数のサブフレーム毎の前記上りリンク信号に乗算される。
【０１９２】
また、本開示の通信装置は、復調用参照信号に用いる巡回シフト及び直交系列を通知するためのフィールドを用いて、互いに直交する複数の符号系列のうちの１つの符号系列を示す情報を受信する受信部と、複数のサブフレームに渡ってレピティションされた復調用参照信号を含む上りリンク信号に、前記情報によって示される前記１つの符号系列を乗算する拡散部と、を具備する。
【０１９３】
また、本開示の通信装置において、前記拡散部は、前記１つの符号系列の各成分を、前記複数のサブフレーム毎の前記上りリンク信号に乗算する。
【０１９４】
また、本開示の通信方法は、互いに直交する複数の符号系列のうちの１つの符号系列であって、複数のサブフレームに渡ってレピティションされた復調用参照信号を含む上りリンク信号に乗算される前記１つの符号系列を選択し、レピティションされた前記上りリンク信号の送信が設定された端末に対して、前記復調用参照信号に用いる巡回シフト及び直交系列を通知するためのフィールドを用いて、選択された前記１つの符号系列を示す情報を送信する。
【０１９５】
また、本開示の通信方法は、復調用参照信号に用いる巡回シフト及び直交系列を通知するためのフィールドを用いて、互いに直交する複数の符号系列のうちの１つの符号系列を示す情報を受信し、複数のサブフレームに渡ってレピティションされた復調用参照信号を含む上りリンク信号に、前記情報によって示される前記１つの符号系列を乗算する。
【産業上の利用可能性】
【０１９６】
本開示の一態様は、移動通信システムに有用である。
【符号の説明】
【０１９７】
１００  基地局
２００  端末
１０１，２０６  制御部
１０２  制御信号生成部
１０３，２０８  符号化部
１０４，２０９  変調部
１０５，２１３  信号割当部
１０６，２１４  IFFT部
１０７，２１５  CP付加部
１０８，２１６  送信部
１０９，２０１  アンテナ
１１０，２０２  受信部
１１１，２０３  CP除去部
１１２，２０４  FFT部
１１３  逆拡散部
１１４  デマッピング部
１１５  チャネル推定部
１１６  等化部
１１７  復調部
１１８  復号部
１１９  判定部
２０５  抽出部
２０７  DMRS生成部
２１０  多重部
２１１  DFT部
２１２  拡散部
【図１】
2020058046.tif 000005
【図２】
2020058046.tif 000006
【図３】
2020058046.tif 000007
【図４】
2020058046.tif 000008
【図５】
2020058046.tif 000009
【図６】
2020058046.tif 000010
【図７Ａ】
2020058046.tif 000011
【図７Ｂ】
2020058046.tif 000012
【図８】
2020058046.tif 000013
【図９】
2020058046.tif 000014
【図１０Ａ】
2020058046.tif 000015
【図１０Ｂ】
2020058046.tif 000016
【図１１Ａ】
2020058046.tif 000017
【図１１Ｂ】
2020058046.tif 000018
【図１２Ａ】
2020058046.tif 000019
【図１２Ｂ】
2020058046.tif 000020